(57)【要約】【課題】  複数の出力端子を有する音響装置において、外部機器の接続数に変動が生じたような場合であっても各機器に出力される出力信号の電圧値の変動を防止しつつ、装置の製造コストの増加を防止する。【解決手段】  ヘッドホンジャック部ＨＪの各ジャックＪ-ｋにヘッドホンの接続の有無を検出するためのスイッチを設ける。このスイッチの状態に応じて制御回路ＣＰがヘッドホンＨＰ接続数を特定すると共に、当該特定されたヘッドホン数に応じてボリューム調整回路ＶＣ内の可変抵抗の抵抗値を調整し、ヘッドホンジャック部ＨＪの入力インピーダンスが変化した場合でも各ジャックＪ-ｋに供給される音声信号の電圧値が一定値となるように制御を行う。【選択図】  図２
2006222859.tif 000002
【特許請求の範囲】
【請求項１】
入力された信号の信号レベルを増幅して出力する増幅手段と、
複数の出力ラインを有し、前記増幅手段から出力される出力信号を各々外部機器に出力する出力手段と、
前記出力ラインに接続されている前記外部機器数を特定する特定手段と、
前記特定手段により特定された外部機器数に応じて、前記増幅手段によるレベル増幅を制御する制御手段と
を具備することを特徴とする信号出力装置。
【請求項２】
前記増幅手段は、入力される前記信号の電圧値を変化させる可変抵抗と、
前記入力された信号の電圧値に基づき当該信号の信号レベルを増幅する増幅回路と、を更に有し
前記制御手段は、
前記特定手段によって特定された出力ライン数に応じて前記可変抵抗の抵抗値を制御し、前記増幅回路から出力される信号の信号レベルを制御することを特徴とする請求項１に記載の信号出力装置。
【請求項３】
前記特定手段は、前記出力ラインに印加される電圧に基づいて外部機器数を特定することを特徴とする請求項１又は乃至請求項２に記載の信号出力装置。
【請求項４】
入力された信号の信号レベルを増幅して出力する増幅手段と、
前記増幅手段の出力段に接続された抵抗と、
当該抵抗に並列にて接続され、当該抵抗を短絡するためのスイッチと、
前記増幅手段から出力される出力信号を前記抵抗又はスイッチを介して前記外部機器に出力する複数の出力ラインを有し、各出力ラインが各々並列に接続された出力手段と、
前記出力ラインに対する前記外部機器の接続を検出する検出手段と、
前記スイッチのオンオフを制御する制御手段と、を具備し、
前記制御手段は、前記検出手段にて前記外部機器の接続が検出された場合に前記スイッチをオンオフを制御し、予め定められたタイミングにて前記抵抗を短絡させることを特徴とする信号出力装置。
【請求項５】
音声信号を取得する音声信号取得手段と、
前記音声信号取得手段によって取得された音声信号の信号レベルを増幅して出力する増幅手段と、
複数の出力ラインを有し、前記増幅手段から出力される音声信号を各々異なるラインを介して外部機器に出力する出力手段と、
前記複数の出力ラインに接続されている前記外部機器数を特定する特定手段と、
前記特定手段により特定された外部機器数に応じて、前記増幅手段によるレベル増幅を制御する制御手段と
を具備することを特徴とする音響装置。
【発明の詳細な説明】
【技術分野】
【０００１】
本発明は、入力信号を増幅して外部に出力する信号出力装置に関する。
【背景技術】
【０００２】
従来、ＡＶ（Audio Visual）アンプやＣＤプレーヤといった音響装置には、ヘッドホンジャックやライン出力端子等の各種出力端子が設けられており、この出力端子を介して外部機器（例えば、ヘッドホン）に信号が出力されるようになっている。かかる外部出力を可能とすべく、この種の音響装置には出力端子の前段に増幅回路が設けられており、当該増幅回路により出力信号の信号レベル（例えば、電圧値）を増幅した後、外部機器に信号出力するようになっている。
【０００３】
また、近年では外部出力時（例えば、ヘッドホン出力時）に外部機器に出力する出力信号の電圧値を任意に設定できる機能を備えた音響装置も提案されるに至っている（例えば、特許文献１）。
【特許文献１】特開平９−３７３８１号公報
【発明の開示】
【発明が解決しようとする課題】
【０００４】
ところで、近年、例えば、１つのＡＶアンプに対して複数のヘッドホンを接続したい等の要望が強くなってきており、かかる要望に応えるべく音響装置に設けられる出力端子数が増加している現状にある。通常、１つの増幅回路に複数の出力端子を並列接続し、当該増幅回路を用いて複数の出力端子を駆動しようとする場合、接続される外部機器の数が変化すると、これに応じて増幅回路の出力段における出力インピーダンスが変化することとなる。この結果、接続された外部機器数に応じて出力信号の電圧値が変化することとなり、外部機器において出力される音声等のレベルが変動する事態が発生する可能性があった。一方、１つの出力端子に対して一個の増幅回路を設ける構成を採用すれば、かかる事態の発生を防止できるものの（例えば、特許文献１）、この構成の下では、出力端子数の増加に伴う製造コストの増加を防止することできない。
【０００５】
本願は、以上説明した事情に鑑みてなされたものであり、その解決しようとする課題の一例としては、複数の出力端子を有する音響装置において、外部機器の接続数に変化が生じたような場合であっても各機器に出力される出力信号の信号レベルの変化を防止しつつ、装置の製造コストの増加を防止することが可能な信号出力装置及び音響装置を提供することを目的とする。
【課題を解決するための手段】
【０００６】
上述した課題を解決するため、本願の一つの観点において、請求項１に記載の信号出力装置は、入力された信号の信号レベルを増幅して出力する増幅手段と、複数の出力ラインを有し、前記増幅手段から出力される出力信号を各々異なるラインを介して外部機器に出力する出力手段と、前記出力ラインに接続されている前記外部機器数を特定する特定手段と、前記特定手段により特定された外部機器数に応じて、前記増幅手段によるレベル増幅を制御する制御手段とを具備することを特徴とする。
【０００７】
また、本願の他の観点において、請求項４に記載の信号出力装置は、入力された信号の信号レベルを増幅して出力する増幅手段と、前記増幅手段の出力段に接続された抵抗と、当該抵抗に並列にて接続され、当該抵抗を短絡するためのスイッチと、前記増幅手段から出力される出力信号を前記抵抗又はスイッチを介して前記外部機器に出力する複数の出力ラインを有し、各出力ラインが各々並列に接続された出力手段と、前記出力ラインに対する前記外部機器の接続を検出する検出手段と、前記スイッチのオンオフを制御する制御手段と、を具備し、前記制御手段は、前記検出手段にて前記外部機器の接続が検出された場合に前記スイッチをオンオフを制御し、予め定められたタイミングにて前記抵抗を短絡させることを特徴とする。
【０００８】
更に、本願の他の観点において、請求項５に記載の音響装置は、音声信号を取得する音声信号取得手段と、前記音声信号取得手段によって取得された音声信号の信号レベルを増幅して出力する増幅手段と、複数の出力ラインを有し、前記増幅手段から出力される音声信号を各々異なるラインを介して外部機器に出力する出力手段と、前記複数の出力ラインに接続されている前記外部機器数を特定する特定手段と、前記特定手段により特定された外部機器数に応じて、前記増幅手段によるレベル増幅を制御する制御手段とを具備することを特徴とする。
【発明を実施するための最良の形態】
【０００９】
以下、図面を参照し、本願の実施の形態について説明する。なお、以下の実施形態に示す音響装置は、ＡＶアンプに本願の信号出力装置を適用したものである。但し、同実施形態は、あくまでも、本願の一例にすぎず、本願の信号出力装置は、ＤＶＤレコーダ等の音響装置にも適用可能なものである。
【００１０】
［１］実施形態
［１．１］実施形態の構成
まず、図１を参照しつつ、本実施形態にかかる音響装置ＳＤの構成について説明する。なお、図１は、本実施形態にかかる音響装置ＳＤの構成を示すブロック図である。
【００１１】
この音響装置ＳＤは、メディア再生装置ＭＰから供給されるコンテンツデータに含まれる映像データに対応した画像をモニタＭＮに表示させると共に、当該コンテンツデータ含まれるオーディオデータに対応した音声を（ａ）ヘッドホンＨＰ、或いは、（ｂ）フロントライトスピーカＦＲＳやフロントレフトスピーカＦＬＳ、センタースピーカＣＳ、サラウンドライトスピーカＳＲＳ、サラウンドレフスピーカＳＬＳ、サブウーファＳＷＳ（以下、各スピーカを特に特定する必要のない場合、「スピーカＳ」という。）により拡声させる機能を有している。かかる音声の拡声に際して、この音響装置ＳＤは、ヘッドホンＨＰが接続されていない状態においてスピーカＳを用いて音声を拡声させる一方、ヘッドホンＨＰが接続されている状態においてはスピーカＳを用いた音声の拡声に換えてヘッドホンＨＰにより音声を拡声させる。なお、メディア再生装置ＭＰからコンテンツデータとして供給するオーディオデータのチャネル（以下、「ｃｈ」と略称する。）数については任意であるが、本実施形態においては５．１ｃｈのオーディオデータを出力するものとして説明を行う。
【００１２】
かかる機能を実現するため、本実施形態にかかる音響装置ＳＤは、信号入力部１と、セレクタ２と、映像処理部３と、音声処理部４と、システム制御部５と、カーソルキー等の各種キーから構成される操作部６と、映像信号出力部７と、アンプ部８と、ヘッドホン出力部９と、これら各要素間を相互に接続するシステムバス１０と、を有している。
【００１３】
これらの各要素中、信号入力部１は、ＤＶＤレコーダ等のメディア再生装置ＭＰを接続するための複数の入力端子を有しており、メディア再生装置ＭＰから供給されるコンテンツデータをセレクタ２に出力する。セレクタ２は、信号入力部１から供給されるコンテンツデータを選択するためのセレクタ回路から構成され、当該コンテンツデータに含まれる映像データを映像処理部３に供給する一方、オーディオデータについては音声処理部４に出力する。映像処理部３は、セレクタ２から入力された映像データ、すなわち、メディア再生装置ＭＰから供給されるコンテンツデータに含まれる映像データを映像出力部７を介してモニタＭＮに出力する。
【００１４】
音声処理部４は、例えば、ＤＳＰ（Digital Signal Processor）やＤ／Ａ変換器を有し、システム制御部５の制御による下、セレクタ２から入力されたオーディオデータに対し各種の信号処理を施すと共に、当該信号処理後のオーディオデータに対してＤ／Ａ変換を行う（なお、以下においては、このＤ／Ａ変換後のオーディオデータを特に「音声信号」という。）。そして、音声処理部４は、ヘッドホンＨＰが接続されていない状態において、当該音声信号をアンプ部８にのみ出力する一方、ヘッドホンＨＰが接続されている状態においては当該音声信号をヘッドホン出力部９にのみ出力するようになっている。
【００１５】
なお、音声信号の出力先の切り替え方法に関しては任意であるが、本実施形態においてはヘッドホン出力部９にヘッドホンの接続状態を検出するためのスイッチを設け、このスイッチの状態に応じて出力先を切り替えるものとする。また、音声処理部４からヘッドホン出力部９に出力する音声信号のｃｈ数についても任意であるが、本実施形態においては５．１ｃｈの音声信号をＲ（right）Ｌ（left）の２ｃｈに変換した後に出力するものとして説明を行う。
【００１６】
システム制御部５は、例えば、ＲＯＭ（Read Only Memory）、ＲＡＭ（Random Access Memory）、ＣＰＵ（Central Processing Unit）を有し、ＲＯＭ内に記録されている制御プログラムを実行することにより音響装置ＳＤの各部を制御する。例えば、システム制御部５は、操作部６に対する入力操作に応じて音声処理部４における信号処理時のフィルタ係数の設定等を行うと共に、ヘッドホン出力部９から供給される検出信号に基づいて音声処理部４における音声信号の出力先を切り替える。
【００１７】
アンプ部８は、音声処理部４から供給される各ｃｈに対応した音声信号を増幅した後、出力端子に接続された各スピーカＳに出力する。
【００１８】
次に、ヘッドホン出力部９は、音声処理部４から供給される音声信号をヘッドホンＨＰに出力するための信号出力回路であり、本実施形態においては、図２のような構成を有している。なお、図２は、本実施形態にかかるヘッドホン出力部９の回路構成を示す図である。
【００１９】
同図に示すように、このヘッドホン出力部９には音声処理部４からＬ及びＲの２ｃｈにて音声信号が入力されるようになっており、各ｃｈの音声信号は、夫々、増幅回路ＡＲ１及びＡＬ１の入力段に入力されるようになっている。
【００２０】
この増幅回路ＡＲ１及びＡＬ１は、各々、出力段がボリューム調整回路ＶＣの入力ポートｐｉ１及びｐｉ２に接続されたＯＰアンプであり、音声処理部４から入力された入力信号を予め定められた電圧値まで増幅した後、ボリューム調整回路ＶＣに出力する。
【００２１】
ボリューム調整回路ＶＣは、増幅回路ＡＲ１及びＡＬ１から供給される音声信号の電圧値を変化させ、増幅回路ＡＲ２及びＡＬ２に出力するための回路であり、信号入力用の入力ポートｐｉ１〜ｐｉ５と、信号出力用の出力ポートｐｏ１及びｐｏ２と、を有している。これらボリューム調整回路ＶＣに設けられた入力ポートｐｉ１〜ｐｉ５の内、入力ポートｐｉ１は増幅回路ＡＲ１に、入力ポートｐｉ２は増幅回路ＡＬ１に、夫々、接続されており、両増幅回路ＡＲ１及びＡＬ１からＲｃｈ及びＬｃｈの音声信号が入力されようになっている。
【００２２】
また、このボリューム調整回路ＶＣは、制御回路ＣＰから入力ポートｐｉ３〜ｐｉ５に入力される制御信号に従って抵抗値が制御される可変抵抗を有しており、この可変抵抗により入力ポートｐｉ１に入力されるＲｃｈの音声信号及び入力ポートｐｉ２に入力されるＬｃｈの音声信号の電圧値を変化させ、各々、異なるパスを介して出力ポートｐｏ１及びｐｏ２に出力するようになっている。
【００２３】
次いで、増幅回路ＡＲ２及びＡＬ２は、入力段の一方がボリューム調整回路ＶＣの出力ポートｐｏ１及びｐｏ２に接続された非反転増幅回路であり、ボリューム調整回路ＶＣから供給される音声信号の電圧値を各ｃｈ毎に増幅して出力する。この増幅回路ＡＲ２及びＡＬ２の他方の入力段は、抵抗ＲＲ２及びＲＬ２を介してグランドに接続されると共に、出力段からの出力信号が抵抗ＲＲ１及びＲＬ１を介して帰還されるようになっており、出力段から帰還された信号と出力ポートｐｏ１或いはｐｏ２からの音声信号の電圧値の差分に応じて音声信号の電圧値を増幅する。
【００２４】
また、この増幅回路ＡＲ２及びＡＬ２の出力段は、抵抗ＲＲ３及びＲＬ３を介してトランジスタＴＲ及びＴＬのコレクタに接続されると共に、ヘッドホンジャック部ＨＪに接続されており、増幅された音声信号がトランジスタＴＲ、ＴＬ及びヘッドホンジャック部ＨＪに供給される。
【００２５】
ヘッドホンジャック部ＨＪは、複数のジャックＪ-ｋ（ｋ＝１，２，・・・，ｎ）を有しており、各ジャックＪ-ｋに接続されたヘッドホンＨＰに対して増幅回路ＡＲ２及びＡＬ２から供給される音声信号を供給する。このヘッドホンジャック部ＨＪは、増幅回路ＡＲ２及びＡＬ２の出力段に対して各ジャックＪ-ｋが並列接続された構成を有しており、これにより、１組の増幅回路ＡＲ２及びＡＬ２を用いて複数のヘッドホンＨＰが駆動されるようになっている。
【００２６】
次いで、増幅回路ＡＲ２及びＡＬ２の出力段に接続されたトランジスタＴＲ及びＴＬは、共に増幅回路ＡＲ２及びＡＬ２からコレクタに対して出力される音声信号をグランドに短絡させるためのスイッチとして作用し、制御回路ＣＰの出力ポートＰＯ４からベースに供給される制御信号に基づいてオンオフが制御される。通常、音響装置ＳＤ（特に、ＡＶアンプ）においては、装置の電源オン時に過大電流（例えば、突入電流）が発生し、この電流に起因して、ジャックＪ-ｋに接続されたヘッドホンＨＰにてノイズ（例えば、ポップ音）が発生し、場合によってはこの過大電流によりヘッドホンＨＰが破壊される可能性がある。このトランジスタＴＲ及びＴＬは、かかる事態の発生を防止するミュート機能を実現するために設けられた素子であり、本実施形態においては音響装置ＳＤの電源オン時に、このトランジスタＴＲ及びＴＬをＯＮ状態にすることで、増幅回路ＡＲ２及びＡＬ２から出力される過大電流をグランドに短絡する構成となっている。
【００２７】
一方、かかるミュート制御に際して、増幅回路ＡＲ２及びＡＬ２からの出力信号を、直接、グランドに短絡した場合、増幅回路ＡＲ２及びＡＬ２からの出力電流が過大となり、両増幅回路ＡＲ２及びＡＬ２が破壊されてしまう可能性がある。このため、両増幅回路ＡＲ２及びＡＬ２の出力段とトランジスタＴＲ及びＴＬのコレクタとの間には、回路を保護するための抵抗ＲＲ３及びＲＬ３が接続されており、過大電流の発生を防止する構成となっている。
【００２８】
ここで、一つ留意すべきことがある。それは、ヘッドホンＨＰが所定の入力インピーダンス（通常、３２Ω）を有しているため、ヘッドホンＨＰの接続数に応じてヘッドホンジャック部ＨＪの入力インピーダンスが変化するということである。通常、ヘッドホンＨＰのように定格出力の小さな拡声装置を駆動しようとする場合、増幅回路ＡＲ２及びＡＬ２の出力音声信号はｍＶレベルの信号となるため、両増幅回路ＡＲ２及びＡＬ２を保護するために設ける抵抗ＲＲ３及びＲＬ３の抵抗値は、例えば、１００Ω程度とされることが多い。このため、ヘッドホンＨＰの接続数の変化に応じて、ヘッドホンジャック部ＨＪの入力インピーダンスが数十Ω単位で変化すると、各ジャックＪ-ｋに入力される音声信号の電圧値が変化し、延いては音圧レベルが変化することになる。
【００２９】
例えば、増幅回路ＡＲ２及びＡＬ２の保護のために設けた抵抗ＲＲ３及びＲＬ３の抵抗値を１００Ω、ヘッドホンＨＰ一機あたりの入力インピーダンスを３２Ωとした場合を想定する。この場合、ジャックＪ-ｋに接続されているヘッドホンＨＰ数に応じて、ヘッドホンジャック部ＨＪの入力インピーダンスが変化し（具体的には接続数の増加によりインピーダンスが減少）、一機のみのヘッドホンＨＰが接続された状態と２機のヘッドホンＨＰが接続された状態とを比較すると、理論上、音声の出力レベルが約５．２ｄＢ低下し、３機のヘッドホンを接続した場合では約８．８ｄＢ低下してしまうこととなる。
【００３０】
かかる出力レベルの変化は、音声を聴取するユーザに違和感を与えることとなりかねないため、出力レベルの変動を防止することが必要となる。かかる不都合の是正するには、１つのジャックＪ-ｋに対して１個の増幅回路を設け、ヘッドホンＨＰの接続数が変化したとしても、各増幅回路に対する出力インピーダンスが変化しないようにする方法も考えられるが、この方法では回路が複雑化し製造コストを削減出来なくなってしまう。
【００３１】
そこで、本実施形態においては、次のような方法を採用することとした。
【００３２】
まず、各ジャックＪ-ｋにヘッドホンＨＰの接続の有無を検出するためのスイッチを設け、各ジャックＪ-ｋに対するヘッドホンＨＰの接続の有無を制御回路ＣＰにおいて検出する。そして、この接続状態の検出結果に応じて制御回路ＣＰからボリューム調整回路ＶＣに制御信号を出力し、ボリューム調整回路ＶＣに設けられた可変抵抗の抵抗値を変化させるのである。この結果、ヘッドホンＨＰの接続数が変化してヘッドホンジャック部ＨＪの入力インピーダンスが変化した場合であっても、当該変化に応じてボリューム調整回路ＶＣから増幅回路ＡＲ２及びＡＬ２に供給される音声信号の電圧値を適切に変化させ、増幅回路ＡＲ２及びＡＬ２から出力される音声信号の電圧値を変更させることが可能となり、もって、各ジャックＪ-ｋに供給される音声信号の電圧値を一定に保持することが可能となる。
【００３３】
なお、ボリューム調整回路ＶＣにおける可変抵抗の抵抗値を如何なる方法により決定するかについては任意である。例えば、制御回路ＣＰにヘッドホンＨＰの接続数と、抵抗値を対応付けたテーブルを保持させ、このテーブルと、ヘッドホンＨＰの接続数の検出結果に応じて抵抗値を決定するようにしても良い。例えば、上記例の場合（抵抗ＲＲ３及びＲＬ３が１００Ω、ヘッドホンＨＰの入力インピーダンスを３２Ω）、２機接続された場合には音量レベルを５．２ｄＢ上昇させ、３機接続された場合には８．８ｄＢ上昇させるために必要な抵抗値をテーブルとして保持させるようにすれば良い。
【００３４】
また、ジャックＪ-ｋに設けるスイッチの形式については任意であるが、本実施形態においては、次の方法を採用するものとして説明を行う。すなわち、各ジャックＪ-ｋの端子ｅを制御回路ＣＰの入力ポートＰＩｋ（ｋ＝１，２，・・・，ｎ）に接続し、基準電圧Ｖｃｃを印可する。また、端子ｆをグランドに接続し、ヘッドホンＨＰが接続された状態において両端子ｅ及びｆが接続された状態となるように両端子を配置する。この結果、ヘッドホンＨＰが接続されていない状態においては、入力ポートＰＩｋに印加されている電圧がＶｃｃとなる一方、ヘッドホンＨＰが接続された時点で、入力ポートＰＩｋに印加される電圧はグランドに変化し、ヘッドホンＨＰの接続の有無が検出出来ることとなる。
【００３５】
次に、制御回路ＣＰは、ｎ個（ジャックＪ-ｋの数に対応）の入力ポートＰＩｋ（１，２，・・・，ｎ）と、５つの出力ポートＰＯ１〜ＰＯ５を有しており、入力ポートＰＩｋに対する電圧の印加状態に応じてヘッドホンＨＰの接続数を検出し、当該検出結果に基づいてボリューム調整回路ＶＣに設けられた可変抵抗の抵抗値を制御する。また、制御回路ＣＰの出力ポートＰＯ４はトランジスタＴＲ及びＴＬのベースに接続されており、両トランジスタＴＲ及びＴＬのオンオフを制御することで、上記ミュート機能を実現する。更に、制御回路ＣＰの出力ポートＰＯ５は、システムバス１０に接続されており、この出力ポートＰＯ５を介してヘッドホンＨＰの接続状態をシステム制御部５に出力するようになっている。なお、本実施形態においては、制御回路ＣＰをシステム制御部５の構成ＣＰＵと別個のチップにより構成した例について図示しているが、システム制御部５を構成するＣＰＵにより制御回路ＣＰを実現するようにしても良い。
【００３６】
次に上記構成を有する本実施形態にかかる音響装置ＳＤの動作について説明する。
【００３７】
まず、音響装置ＳＤの電源が投入されると、制御回路ＣＰは、システム制御部５による制御の下、入力ポートＰＩｋに対する電圧の印可状態に基づき、ヘッドホンジャック部ＨＪにヘッドホンＨＰが接続されている否かを判定する（ステップＳ１）。そして、この判定において「ｎｏ」と判定すると、制御回路ＣＰは、処理を終了するか否かを判定する状態となり（ステップＳ８）、「ｙｅｓ」と判定すると処理を終了するのに対して、「ｎｏ」と判定すると、ステップＳ７に処理をリターンする。
【００３８】
これに対して、ステップＳ１において「ｙｅｓ」と判定すると、制御回路ＣＰは、出力ポートＰＯ４を介してトランジスタＴＲ及びＴＬに制御信号を出力し（ステップＳ２）、増幅回路ＡＲ２及びＡＬ２からの出力信号をグランドに短絡させた後（すなわち、ミュート状態）、出力ポートＰＯ５を介してシステム制御部５に対して検出信号を出力する（ステップＳ３）。この結果、システム制御部５により音声処理部４における音声信号の出力先がアンプ部８からヘッドホン出力部９に切り替えられることとなる。なお、ミュート期間をどの程度の期間とするかについては任意であり、所定時間経過後にトランジスタＴＲ及びＴＬに対する信号出力を停止し、ミュート状態を解除するようにすれば良い。
【００３９】
次いで、制御回路ＣＰは、入力ポートＰＩｋの印可電圧に基づき、ジャックＪ-ｋに接続されているヘッドホンＨＰを特定し（ステップＳ４）、当該接続数に基づいてボリューム調整回路ＶＣにおける抵抗値を特定した後（ステップＳ５）、出力ポートＰＯ１〜ＰＯ３を介してボリューム調整回路ＶＣに対して制御信号を出力する（ステップＳ６）。この結果、ボリューム調整回路ＶＣにおいてヘッドホンＨＰの接続数に応じた抵抗値に可変抵抗が制御され、増幅回路ＡＲ２及びＡＬ２に供給される音声信号の電圧値が変更され、ヘッドホンジャックＪ-ｋに供給される音声信号の電圧値が変更されることとなる。
【００４０】
次いで、制御回路ＣＰは、入力ポートＰＩｋに対する印可電圧の変化状態を監視し、ヘッドホンジャックＪ-ｋに対するヘッドホンＨＰの接続状態に変化が生じたか否かを判定する状態となる（ステップＳ７）。そして、この判定において「ｎｏ」と判定すると、制御回路ＣＰは、処理を終了するか否かを判定する状態となり（ステップＳ８）、この判定において「ｙｅｓ」と判定すると処理を終了する一方、「ｎｏ」と判定すると、ステップＳ７にリターンする。
【００４１】
これに対してステップＳ６において「ｙｅｓ」と判定すると、制御回路ＣＰは、変化後の接続数を特定し、当該接続数が「０」であるか否かを判定する状態となる（ステップＳ９）。そして、この判定において「ｎｏ」と判定すると、ステップＳ４にリターンし、当該接続数に応じた抵抗値になるようにボリューム調整回路ＶＣを制御する。
【００４２】
一方、このステップＳ９において「ｎｏ」と判定した場合、制御回路ＣＰは、出力ポートＰＯ５を介してシステム制御部５に検出信号を出力し、音声処理部４における音声信号の出力先をヘッドホン出力部９からアンプ部８に切り替えさせる。
【００４３】
かかる一連の処理が電源がオフされるまで継続し、電源オフのコマンドがシステム制御部５から供給された時点で、ステップＳ７の判定が「ｙｅｓ」となり、処理が終了することとなる。
【００４４】
このようにして、本実施形態にかかる音響装置ＳＤは、入力された信号の電圧値を増幅して出力するボリューム調整回路ＶＣ及び増幅回路ＡＲ２（ＡＬ２）と、複数のジャックＪ-ｋを有し、増幅回路ＡＲ２及びＡＬ２から出力される出力信号を各々異なるジャックＪ-ｋを介してヘッドホンＨＰに出力するヘッドホンジャック部ＨＪと、ヘッドホンＨＰの接続数を特定すると共に、特定された接続数に応じて、増幅回路ＡＲ２及びＡＬ２からの出力信号の電圧値を制御する制御回路ＣＰとを具備する構成となっている。
【００４５】
この構成により、ヘッドホンＨＰの接続数に応じてボリューム調整回路ＶＣにおいて音声信号の電圧値が変更され、これによって増幅回路ＡＲ２及びＡＬ２からの出力信号の電圧値が変更されて、ヘッドホンジャック部ＨＪに供給される。このため、ヘッドホンＨＰの接続数が変化したような場合であっても各機器に出力される出力信号の電圧値の変化を防止することが可能となると共に、１組の増幅回路ＡＲ２及びＡＬ２を用いて複数のジャックＪ-ｋを駆動することが可能となり、もって、装置の製造コストを削減することも可能となる。
【００４６】
また、本実施形態においては、ボリューム調整回路ＶＣに可変抵抗を設けると共に、増幅回路ＡＲ２及びＡＬ２として非反転増幅回路を用いた構成を採用している。このため、制御回路ＣＰにおいてボリューム調整回路ＶＣの抵抗値を制御するという簡易な構成により、ヘッドホンＨＰの接続数の変化に伴い、各ヘッドホンＨＰに供給される音声信号の電圧値が変化してしまうことを有効に防止することが可能となる。
【００４７】
更に、本実施形態においては、制御回路ＣＰの入力ポートＰＩｋに印加された信号の電圧値に基づいてヘッドホンＨＰの接続数を決定する構成を採用しているため、回路構成を複雑化させることなく、確実にヘッドホンＨＰの接続数を特定することが可能となる。
【００４８】
なお、上記第１実施形態においては、音響装置ＳＤをＡＶアンプとして構成した場合の構成例について説明したが、ＤＶＤレコーダやＣＤプレーヤのようなヘッドホンジャックを有する音響装置に図２に示したヘッドホン出力部９を設けることにより、同様の作用効果を得ることが可能となる。
【００４９】
また、上記第１実施形態においては、複数のヘッドホンＨＰを接続するためジャックＪ-ｋを設けた場合について説明した。しかし、例えば、ライン出力等の外部出力回路に関しても、外部機器の接続数に応じて入力インピーダンスが変化するため、外部機器の接続数が変化すると各外部機器に対して入力される音声信号の電圧値に変動を生じることとなる。このため、ライン出力等を行うための信号出力装置に関しても、本実施形態におけるヘッドホン出力部９と同様の構成を採用し、出力信号の電圧値を一定に保持することが有効となる。
【００５０】
更に、上記第１実施形態においては、ボリューム調整回路ＶＣに設けられた可変抵抗の抵抗値を制御回路ＣＰにより制御することで、各ジャックＪ-ｋに供給される音声信号の電圧値を一定値にする方法が採用されていた。しかし、ヘッドホンＨＰの接続数に応じて、制御回路ＣＰが増幅回路ＡＲ２及びＡＬ２における増幅率を制御するようにしても良い。
【００５１】
［２］第２実施形態
本実施形態にかかる音響装置ＳＤは上述した図１と同様の構成により実現されるものとなっている。従って、特に説明しない限り図１に示す各要素は、上記第１実施形態と同様の構成を有し、同様の動作を行うものである。
【００５２】
ここで、本実施形態にかかる音響装置ＳＤにおいて、上記第１実施形態と異なる点は、ヘッドホンジャック部９の構成のみとなっているので、この点について説明する。まず、上述した第１実施形態においてヘッドホンジャック部９は、ヘッドホンＨＰの接続数に応じて、単にボリューム調整回路ＶＣに設けた可変抵抗の抵抗値を変化させ、各ジャックＪ-ｋにおける音声信号の電圧値を一定値に制御する構成が採用されていた。
【００５３】
これに対して、本実施形態おいては、増幅回路ＡＲ２及びＡＬ２の出力段に接続されているミュート用の抵抗ＲＲ３及びＲＬ３を短絡するためのトランジスタＴＲ２及びＴＬ２を設け、当該トランジスタＴＲ２及びＴＬ２のオンオフを制御回路ＣＰの出力ポートＰＯ６からの出力信号に応じて切り替える構成を採用することとした。そして、ミュート時には、増幅回路ＡＲ２及びＡＬ２の出力段を抵抗ＲＲ３及びＲＬ３を介してグランドに接続する一方、ミュート時以外には抵抗ＲＲ３及びＲＬ３を短絡させて信号をヘッドホンジャック部ＨＪに供給するのである。
【００５４】
このように、複数のヘッドホンＨＰが挿入された際にミュート時以外、トランジスタＴＲ２及びＴＬ２で抵抗ＲＲ３及びＲＬ３をショートする構成を採用した場合、増幅回路ＡＲ２及びＡＬ２の出力インピーダンス（但し、ここでは、ヘッドホンジャック部ＨＪのインピーダンスを除く）が“０”になり、ヘッドホンジャック部ＨＪのインピーダンスが何Ωになっても信号レベルの低下が防止できる。
【００５５】
これは次の理由によるものである。まず、図４に示すようにヘッドホンジャック部ＨＪは抵抗ＲＲ３及びＲＬ３に対して直列接続されているため、抵抗ＲＲ３及びＲＬ３をショートしない構成を採用してしまうと、接続ヘッドホンＨＰ数が変動し、ヘッドホンジャック部ＨＪの入力インピーダンスが変化すると、当該変化に起因して各ジャックＪ-ｋに印加される電圧値（すなわち、音声信号の電圧値）が変動することとなる。
【００５６】
これに対して、抵抗ＲＲ３及びＲＬ３をショートさせる構成を採用した場合、増幅回路ＡＲ２及びＡＬ２の出力段における回路構成は、各ジャックＪ-ｋが単に並列接続されている回路と等価になる。従って、各ヘッドホンＨＰの抵抗値が一定であれば、同一抵抗値の複数の抵抗（すなわち、ヘッドホンＨＰ）が増幅回路ＡＲ２及びＡＬ２の出力段に、並列接続されている回路と等価となり、各ジャックＪ-ｋに印加される音声信号の電圧値は、ヘッドホンジャック部ＨＪに接続されているヘッドホンＨＰの数に影響を受けず、全て一定値をとることとなるのである。このため、ボリューム調整回路ＶＣに設けられた可変抵抗の抵抗値を変更することなく、ヘッドホンＨＰの接続本数が何本であろうとも、各ジャックＪ-ｋに対して供給される音声信号の電圧値を一定に保つことが可能となる。なお、信号をミュートする場合には、ＲＲ３及びＲＬ３を介して音声信号をミュートすることとなる。なおまた、かかる機能を実現するための具体的な構成及び動作については、上記第１実施形態と同様であるため詳細は省略する。
【００５７】
以上説明したように、本実施形態にかかる音響装置ＳＤは、入力された音声信号を増幅して出力する増幅回路ＡＲ２（ＡＬ２）と、増幅回路ＡＲ２（ＡＬ２）の出力段に接続された抵抗ＲＲ３（ＲＬ３）と、当該抵抗ＲＲ３（ＲＬ３）に並列にて接続され、当該抵抗ＲＲ３（ＲＬ３）を短絡するためのトランジスタＴＲ２（ＴＬ２）と、増幅回路ＡＲ２（ＡＬ２）から出力される出力信号を抵抗ＲＲ３（ＲＬ３）又はトランジスタＴＲ２（ＴＬ２）を介してヘッドホンに出力する複数のジャックＪ-ｋを有し、各ジャックＪ-ｋが各々並列に接続されたヘッドホンジャック部ＨＪと、ジャックＪ-ｋに対するヘッドホンＨＰの接続を制御回路ＣＰにて検出し、ヘッドホンＨＰが接続されている場合、ミュート時にはトランジスタＴＲ２（ＴＬ２）をオフに制御する一方、ミュート時以外にはトランジスタＴＲ２（ＴＬ２）をオンに制御して抵抗ＲＲ３（ＲＬ３）を短絡させる構成となっている。このため、この音響装置ＳＤによれば、トランジスタＴＲ２及びＴＬ２のオンオフ制御という簡易な制御を行うのみで、各ヘッドホンＨＰに出力される出力信号の電圧値の変化を防止することが可能となる。
【００５８】
なお、本実施形態においては、ボリューム調整回路ＶＣにおける可変抵抗の抵抗値を変更しない構成としたが、ヘッドホンＨＰの接続本数に応じて、ボリューム調整回路ＶＣに設けられた可変抵抗の抵抗値を変更するようにしても良い。
【図面の簡単な説明】
【００５９】
【図１】第１実施形態における音響装置ＳＤの構成を示すブロック図である。
【図２】同実施形態におけるヘッドホン出力部９の回路構成を示す図である。
【図３】同実施形態における制御回路ＣＰの実行する処理を示すフローチャートである。
【図４】第２実施形態におけるヘッドホン出力部９の回路構成を示す図である。
【符号の説明】
【００６０】
ＳＤ・・・音響装置
１・・・信号入力部
２・・・セレクタ
３・・・映像処理部
４・・・音声処理部
５・・・システム制御部
６・・・操作部
７・・・映像信号出力部
８・・・アンプ部
９・・・ヘッドホン出力部
【図１】
2006222859.tif 000003
【図２】
2006222859.tif 000004
【図３】
2006222859.tif 000005
【図４】
2006222859.tif 000006